(57)【要約】【課題】操作板の後端部とその支持用突部との係合状態を、操作板の後端部の回動を妨げることなく保ち易く、その係合状態を外部から目視により確認して、作業時に操作板の後端部が支持用突部から外れる危険性を予知でき、安全性に優れたものにする。【解決手段】長さ自在調節装置６のケース後壁１５の一部を屈曲突設して張り出し、ケース７の本体側内部と張り出し部２４の内部とを連通し、連通口を通してケース７の本体側内部に収容した操作板１３の後端部２５を張り出し部２４の内部に挿入し、ケース７の本体側後壁１５から張り出し部２４の上壁２６に至る屈曲箇所付近を操作板１３に当接する支持用突部１６に形成し、張り出し部２４の壁内面を操作板１３の後端部２５の移動領域より離し、更に張り出し部２４の左右の少なくとも一面に内部が見える確認用開口２９を設ける。【選択図】  図１
2007211477.tif 000002
【特許請求の範囲】
【請求項１】
管状の基脚と、その基脚の内部に同軸状に嵌めて下端開口より一部を突出し、挿入、引き出し自在に設置した長さ調節脚と、その基脚の下端開口付近に設置し、基脚の下端部に固着した長さ自在調節装置とを具備し、その長さ自在調節装置のケースとして、前面を除く上下左右後の５面を壁にした箱形体を用い、その上壁の中央部に基脚の下端部が嵌まる上開口を設け、その下壁の中央部に長さ調節脚が挿通する下開口を設け、そのケース内部の中央付近に、長さ調節脚が挿通する中央穴を有し、長さ調節脚を固定し又解放する操作板を１枚又は複数枚重ねて収容し、１枚収容する場合にはその操作板の前端部を、又複数枚収容する場合にはその最上部に位置する１枚の操作板の前端部を操作箇所にし、そのケースの後壁の内面に操作板の後端寄り上面に当接する支持用突部を設け、更にケース内部の下側に操作板を常に上方に付勢するスプリングを収容し、その操作板をスプリングの付勢力により前端より後端が下がる傾斜状態にして長さ調節脚を固定し、又操作板の前端操作部をスプリングの付勢力に抗して下方に押し、操作板を大略水平状態にして長さ調節脚を解放する長さ自在調節装置付き脚であって、上記ケースの後壁の一部を屈曲突設して後方に張り出し、そのケースの本体側内部と張り出し部の内部とを連通し、その連通口を通してケースの本体側内部に収容した操作板の後端部を張り出し部の内部に挿入し、そのケースの本体側後壁から張り出し部の上壁に至る屈曲箇所付近を操作板の後端寄り上面に当接する支持用突部に形成し、その張り出し部の後壁から下壁に亘る壁内面を操作板の後端部の移動領域より離し、更に張り出し部の左右の少なくとも一面に内部が見える確認用開口を設けることを特徴とする長さ自在調節装置付き脚。
【請求項２】
ケースの上壁の前端部を、又はその上壁より少し上方に突出部を設けて、その上突出部を、操作板の前端操作部より前方に突出させ、その上壁前端部又は上突出部を操作板の前端操作部に対する落下物ガードにすることを特徴とする請求項１記載の長さ自在調節装置付き脚。
【請求項３】
踏み台を支える少なくとも１本の主要脚として、請求項１又は２記載の長さ自在調節装置付き脚を用いることを特徴とする脚立。
【発明の詳細な説明】
【技術分野】
【０００１】
本発明は、造園、果樹栽培、建築、その他の高所作業等に使用する脚立、足場等の脚の長さ調節を行うのに好適な長さ自在調節装置付き脚並びにその脚を用いた脚立に関する。
【背景技術】
【０００２】
従来、３脚、４脚等の脚立や足場等の各脚を立てる接地面に段差や傾斜が存在する場合、各脚の長さを夫々調節する等して、それ等の脚で支える踏み台の上面をほぼ水平に保ち、その踏み台上に乗って高所での作業等を安全に行えるようにした。例えば、三脚脚立では主要脚を３本用い、その２本の主要脚を大略平行に並べ、その両主要脚間に複数の踏み台を等間隔に配設して梯子体を形成し、その梯子体を１本の主要脚で支持し、その支持用主要脚の水平面に対する傾斜角度を７０度前後に保つように、支持用主要脚の長さを調節することによって、人が梯子体に乗って安全に作業できる状態にした。
【０００３】
このような支持用主要脚の長さ調節構造として、その支持用主要脚を管状にし、その下端側内部に長さ調節脚を同軸状に嵌めて下端開口より一部を突出し、挿入、引き出し自在に設置して、その両脚の重ね合せ部に複数のピン穴を一定間隔毎に夫々設けておき、長さを調節した後、対応する穴にピンを通すことによって、支持用主要部から突出する長さ調節脚の突出長さを設定するものがある。しかし、支持用主要脚に長さ調節脚を固定する際に穴にピンを嵌めるため、脚立の使用条件に合せて長さ調節脚の突出長さを任意に選ぶことができない。このような不都合を解消するため、支持用主要脚に長さ自在調節装置付き脚を用いたものがある。
【０００４】
この長さ自在調節装置付き脚１は、図７、８に示すような管状の基脚２と、その基脚２の内部に同軸状に嵌めて下端開口３より一部を突出し、矢印方向に挿入、引き出し自在に設置した長さ調節脚４と、その基脚２の下端開口３０付近に設置し、基脚２の下端部５に固着した長さ自在調節装置６からなる。そして、その長さ自在調節装置６のケース７として、前面を除く上下左右後の５面を壁にした箱形体を用い、その上壁８の中央部に基脚２の下端部５が嵌まる上開口９を設け、その下壁１０の中央部に長さ調節脚４が挿通する下開口１１を設け、そのケース内部の中央付近に、長さ調節脚４が挿通する図９に示すような円形の中央穴１２を有し、長さ調節脚４を固定し又解放する長方形状の操作板１３を１枚又は複数枚例えば３枚重ねて収容し、その操作板１３の最上部に位置する１枚の前端部１４を操作箇所にするためケース７より前方に突出し、そのケース後壁１５の内面に操作板１３の後端付近の上面に当接する支持用突部１６を設け、更にケース内部の下側に操作板１３を常に上方に付勢する圧縮コイルスプリング１７を収容する。なお、長さ自在調節装置６付き脚１は通常スプリング１７をステンレス製にするが、その他は全てアルミ製にする。
【０００５】
すると、その操作板１３をスプリング１７の付勢力により前端より後端が下がる傾斜状態にして長さ調節脚４を固定できる。又、手等により操作板１３の前端部１４をスプリング１７の付勢力に抗して下方に押すと、操作板１３を大略水平状態にして長さ調節脚４を解放できる。それ故、基脚２から突出する長さ調節脚４の突出長さを任意に選ぶことができ、好都合となる。なお、１８（１８ａ、１８ｂ）は左右壁１９、２０の各上端と一体に結合して上方に所定長さ突出し、直角方向に屈曲して各先端が基脚２の左右外壁に夫々固着したＬ形状の補強板である。又、２１は長さ調節脚４の下端に設置した地面食い込み用のカップである。
【発明の開示】
【発明が解決しようとする課題】
【０００６】
しかしながら、このような長さ自在調節装置６付き脚１は長さ調節脚４の突出長さを任意に選択した後、その長さ調節脚４を固定する際、各操作板１３をスプリング１７の付勢力により前端より後端が下がる傾斜状態にし、長さ調節脚４の外表面に各操作板１３の中央穴１２の前側上縁等を夫々噛ませて、基脚２から長さ調節脚４が抜けないように固定する。このため、脚１の長さ調節を繰り返す等しながら使用すると、図１０に示すように操作板１３の中央穴１２の主に前側内面２２が順次摩耗し、穴形状が変形して前後方向に長くなり、操作板１３の傾斜角度も順次大きくなってくる。又、操作板１３の支点であるケース後壁１５の内面に設けた支持用突部１６が順次摩耗して小さくなってくる。しかも、装置６の長さ調節機構が前面側を除き、箱形ケースで被われているため、特にケースの最奥付近にある操作板１３の後端部と支持用突部１６との係合状態が分からない。それ故、作業時に操作板１３が突然支持用突部１６から外れて、長さ調節脚４の固定状態が解放され、脚１が短くなって使用者がバランスを崩して落下する等の危険性がある。しかも、目視によりその危険性を予知できないので安全上に問題がある。
【０００７】
本発明は、このような従来の問題点に着目してなされたものであり、脚の長さ調節による使用回数を多く或いは脚を長期間使用すること等によって、操作板の中央穴の前側内面等が摩耗して前後方向に長くなり、又支持用突部が摩耗して小さくなっても、操作板の後端部とその支点である支持用突部との係合状態を、操作板の後端部の回動を妨げることなく保ち易く、その係合状態を外部から目視により確認して、作業時に操作板の後端部が支持用突部から外れる危険性を予知でき、安全性に優れた長さ自在調節装置付き脚並びにその脚を用いた脚立を提供することを目的とする。
【課題を解決するための手段】
【０００８】
上記目的を達成するために、本発明による長さ自在調節装置付き脚は、管状の基脚と、その基脚の内部に同軸状に嵌めて下端開口より一部を突出し、挿入、引き出し自在に設置した長さ調節脚と、その基脚の下端開口付近に設置し、基脚の下端部に固着した長さ自在調節装置とを具備する。そして、その長さ自在調節装置のケースとして、前面を除く上下左右後の５面を壁にした箱形体を用い、その上壁の中央部に基脚の下端部が嵌まる上開口を設け、その下壁の中央部に長さ調節脚が挿通する下開口を設け、そのケース内部の中央付近に、長さ調節脚が挿通する中央穴を有し、長さ調節脚を固定し又解放する操作板を１枚又は複数枚重ねて収容し、１枚収容する場合にはその操作板の前端部を、又複数枚収容する場合にはその最上部に位置する１枚の操作板の前端部を操作箇所にし、そのケース後壁の内面に操作板の後端寄り上面に当接する支持用突部を設け、更にケース内部の下側に操作板を常に上方に付勢するスプリングを収容する。又、その操作板をスプリングの付勢力により前端より後端が下がる傾斜状態にして長さ調節脚を固定し、又操作板の前端操作部をスプリングの付勢力に抗して下方に押し、操作板を大略水平状態にして長さ調節脚を解放する。
【０００９】
又、上記ケースの後壁の一部を屈曲突設して後方に張り出し、そのケースの本体側内部と張り出し部の内部とを連通し、その連通口を通してケースの本体側内部に収容した操作板の後端部を張り出し部の内部に挿入し、そのケースの本体側後壁から張り出し部の上壁に至る屈曲箇所付近を操作板の後端寄り上面に当接する支持用突部に形成し、その張り出し部の後壁から下壁に亘る壁内面を操作板の後端部の移動領域より離し、更に張り出し部の左右の少なくとも一面に内部が見える確認用開口を設ける。
【００１０】
又、上記ケースの上壁の前端部を、又はその上壁より少し上方に突出部を設けて、その上突出部を、操作板の前端操作部より前方に突出させ、その上壁前端部又は上突出部を操作板の前端操作部に対する落下物ガードにすると好ましくなる。
【００１１】
又、本発明による脚立は、踏み台を支える主要脚として、上記長さ自在調節装置付き脚を用いる。
【発明の効果】
【００１２】
本発明の長さ自在調節装置付き脚は、その装置の長さ調節機構を前面を除く上下左右後の５面を壁にした箱形体のケースで被っても、そのケースの後壁の一部を屈曲突設して後方に張り出し、そのケースの本体側内部と張り出し部の内部とを連通し、その挿通口を通してケースの本体側内部に収容した操作板の後端部を張り出し部の内部に挿入することにより、その張り出し部の内部に収容する操作板の後端部の長さを長くできる。
【００１３】
そして、そのケースの本体側後壁から張り出し部の上壁に至る屈曲箇所付近を操作板の後端寄り上面に当接する支持用突部に形成し、その張り出し部の後壁から下壁に亘る壁内面を操作板の後端部の移動領域より離すことにより、脚の長さ調節による使用回数を多く或いは脚を長期間使用すること等によって、操作板の中央穴の前側内面等が摩耗して前後方向に長くなり、また支持用突部が摩耗して小さくなっても、操作板の後端部とその支点である支持用突部との係合状態を、操作板の後端部の回動を壁内面により妨げることなく良好に保つことができる。
【００１４】
又、張り出し部の左右の少なくとも一面に内部が見える確認用開口を設けることにより、外部からその開口を通して操作板の後端部と支持用突部との係合状態を目視により簡単に確認して、作業時に操作板の後端部が支持用突部から外れる危険性を予知できる。それ故、安全性に優れている。
【００１５】
又、ケースの上壁の前端部を、又はその上壁より少し上方に突出部を設けて、その上突出部を、操作板の前端操作部より前方に突出させ、その上壁前端部又は上突出部を操作板の前端操作部に対する落下物ガードにすることにより、作業時に物を落としても、その落下物をガードで受けて、操作板の前端操作部に当たらないようにできる。それ故、落下物によって前端操作部が下方に押されて、操作板から長さ調節脚が解放される危険性を防止できる。
【００１６】
又、本発明の脚立は、踏み台を支える少なくとも１本の主要脚を長さ自在調節装置付き脚にすることにより、踏み台を支える主要脚と基脚とを別体とし、主要脚に基脚を外付け固着して、長さ自在調節装置付き脚を取り付ける場合と比べ、その主要脚がコンパクトになって取り扱い易く、長さ調節を自在に行えて、安全性に優れたものになる。
【発明を実施するための最良の形態】
【００１７】
以下、添付の図１〜６を参照して、本発明の実施の最良形態を説明する。
図１は本発明を適用した長さ自在調節装置付き脚の装置ケースの右壁を除いた状態を示す右側面図、図２はその長さ自在調節装置付き脚の右壁を有する本来の状態を示す右側面図、図３はその長さ自在調節装置付き脚の正面図である。この長さ自在調節装置付き脚２３は従来の長さ自在調節装置６付き脚１とほぼ同一の構造を備えているので、以下対応する部分に同一符号を記して相違部分を主に説明する。
【００１８】
長さ自在調節装置６付き脚２３では、その装置ケース７の後壁１５の一部を屈曲突設して後方に張り出し、そのケース７の本体側内部と張り出し部２４の内部とを連通し、その連通口を通してケース７の本体側内部に収容した操作板１３の後端部２５を張り出し部２４の内部に挿入する。そこで、図４に示すように操作板１３の中央穴１２より後部を長くすると、張り出し部２４の内部に収容する操作板１３の後端部２５の長さを長くできる。
【００１９】
又、ケース７の本体側後壁１５から張り出し部２４の上壁２６に至る屈曲箇所付近を操作板１３の後端寄り上面に当接する支持用突部１６に形成し、その張り出し部２４の後壁２７から下壁２８に亘る壁内面を操作板１３の後端部２５の移動領域より離す。すると、脚２３の長さ調節による使用回数を多く或いは脚２３を長期間使用すること等により、図５に示すように操作板１３の中央穴１２の前側内面等が摩耗して前後方向に長くなって、長さ調節脚４を固定する際の傾斜角度が大きくなり、又支持用突部１６が摩耗して小さくなっても、操作板１３の後端部２５とその支点である支持用突部１６との係合状態を、操作板１３の後端部２５の回動が壁内面により妨げることなく行えて、良好に保つことができる。そして、操作板１３の前端操作部１４の付近が上壁８の下面に接触するまで、脚２３の長さ調節を行える。
【００２０】
又、張り出し部２４の左右面に内部が見える確認用開口２９を夫々設ける。
すると、外部から開口２９を通して操作板１３の後端部２５と支持用突部１６との係合状態を目視により簡単に確認して、作業時に操作板１３の後端部２５が支持用突部１６から外れる危険性を予知できる。それ故、安全性に優れている。
【００２１】
又、ケース７の上壁８の前端部３０を、操作板１３の前端操作部１４より前方に突出させ、その上壁前端部３０の前端操作部１４に対する落下物ガードにする。すると、作業時に工具、果実等が落ちても、その落下物が真上にあるガード３０に当たって落下方向が変わり、操作板１３の前端操作部１４に当たらない。それ故、落下物によって前端操作部１４が下方に押されて、操作板１３から長さ調節脚４が解放される危険性を防止できる。なお、その上壁８より少し上方に位置する補強板１８又は基脚２の一部に前方に突出する上突出部を設け、その上突出部を落下物ガードとして使用することもできる。
【００２２】
このような長さ自在調節装置６付き脚２３を、例えばアルミ製三脚脚立に使用する場合、図６に示すように三脚脚立３１の基本構造を形成する太い管状の主要脚を３本用い、その２本の主要脚３２、３３を下端より上端に行く程間隔を狭くして大略平行に並べ、その主要脚間に複数例えば６個の矩形状踏み台３４（３４ａ、…３４ｆ）を等間隔に配設して梯子体３５を形成し、その梯子体３５の頂部踏み台３５ａの最突出縁を形成する管部に、１本の主要脚３６の上端部を軸着し、その梯子体３５を主要脚３６で支持する。そして、梯子体３５の両主要脚３２、３３に夫々沿わせ、補強部材として全踏み台３４を支持する細い管３７、３８を２本備え付け、支持用主要脚３６の上端部付近に補強部材を備え付け、その付近に把手兼作業用足掛け３９を設置する。又、梯子体３５の踏み台３４ｃと支持用主要脚３６とに止め部を夫々設け、梯子体３５の側と支持用主要脚３６との間を開き止め鎖４０で結合する。
【００２３】
そこで、主要脚３２、３３、３６の長さを夫々調節自在にするため、各主要脚３２、３３、３６として長さ自在調節装置６付き脚２３を用いる。その際、各主要脚３２、３３、３６毎に、いずれも上部を太い基脚２にし、下部を細い長さ調節脚４にして、長さ自在調節装置６を備え付ける。すると、各主要脚３２、３３、３６が夫々コンパクトになって取り扱い易く、長さ調節を自在に行うことができて、安全性に優れたものになる。
【００２４】
上記の実施の形態では、三脚脚立３１の３本の主要脚３２、３３、３６をいずれも長さ自在調節装置６付き脚２３にする場合について説明したが、その主要脚３２、３３、３６の１本又は２本を長さ自在調節装置６付き脚２３にしてもよい。又、四脚脚立や足場等についても適宜１本又は複数本の脚を長さ自在調節装置６付き脚２３にすることができる。
【００２５】
なお、脚立や足場等の脚と長さ自在調節装置６付き脚２３を別体とし、それ等の脚の下端部付近に基脚２を外付け固着して長さ自在調節装置６付き脚２３を取り付けることもできる。
【図面の簡単な説明】
【００２６】
【図１】本発明を適用した長さ自在調節装置付き脚の装置ケースの右壁等を除いた状態を示す右側面図である。
【図２】同長さ自在調節装置付き脚のケース右壁を有する本来の状態を示す右側面図である。
【図３】同長さ自在調節装置付き脚の正面図である。
【図４】同長さ自在調節装置のケース内に収容する操作板の使用初期状態を示す平面図である。
【図５】同操作板の長さ調節による多数回使用後の状態を示す平面図である。
【００２７】
【図６】同長さ自在調節装置付き脚の基脚を各主要脚として夫々用いた三脚脚立の斜視図である。
【図７】従来の長さ自在調節装置付き脚の右側面図である。
【図８】同長さ自在調節装置付き脚の装置ケースの右壁等を除いた状態を示す右側面図である。
【図９】同長さ自在調節装置のケース内に収容する操作板の使用初期状態を示す平面図である。
【図１０】同操作板の長さ調節による多数回使用後の状態を示す平面図である。
【符号の説明】
【００２８】
２…基脚  ３…下端開口  ４…長さ調節脚  ５…下端部  ６…長さ自在調節装置  ７…ケース  ８、１０…上、下壁  ９、１１…上、下開口  １２…中央穴  １３…操作板  １４…前端操作部  １５…後壁  １６…支持用突部  １７…スプリング  １８…補強板  １９、２０…左、右壁  ２２…中央穴の前側内面  ２３…長さ自在調節装置付き脚  ２４…張り出し部  ２５…操作板の後端部  ２６、２８…上、下壁  ２７…後壁  ２９…確認用開口  ３０…落下物ガード  ３１…三脚脚立  ３２、３３、３６…主要脚  ３４…踏み台  ３５…梯子体
【図１】
2007211477.tif 000003
【図２】
2007211477.tif 000004
【図３】
2007211477.tif 000005
【図４】
2007211477.tif 000006
【図５】
2007211477.tif 000007
【図６】
2007211477.tif 000008
【図７】
2007211477.tif 000009
【図８】
2007211477.tif 000010
【図９】
2007211477.tif 000011
【図１０】
2007211477.tif 000012